(57)【特許請求の範囲】
【請求項１】
遊技盤に取り付けられるケース本体に回転体を回転自由に設け、該回転体に取り付けた羽根部材の背面に、該ケース本体側に固定された発光ランプから発せられる光を照射して該羽根部材の照明を行うように構成したパチンコ機の電飾を施した風車であって、ほぼ杯形状とされた前記回転体は、その半球部の窪んだ内面を光を反射させる反射構造とすると共に、該半球部の中心部から後方に延びる軸筒部を前記ケース本体に遊嵌して回転自由に設けられ、前記発光ランプは該軸筒部内に挿通されて前記半球部の内方に臨むように設けられ、前記回転体の半球部の開口部に取り付けた透光性を有する羽根部材の背面中心部には光を反射させる反射部が先端に設けられた突起を一体に形成し、前記発光ランプから発せられる光を直接及び羽根部材の反射部を介して半球部の内面に拡散・反射させてから羽根部材の背面に照射するように設けたことを特徴とするパチンコ機の電飾を施した風車。
【請求項２】
前記回転体の半球部を半径方向に複数箇所Ｕ字形に少し窪ませ、その窪み部分に支持片を夫々形成し、前記羽根部材の円盤部に該支持片に対応するボスを形成し、その羽根部材を前記半球部の開口部にあてがって該ボスを前記支持片に取付けたことを特徴とする請求項１に記載のパチンコ機の電飾を施した風車。
【発明の詳細な説明】
【０００１】
【発明の属する技術分野】
本発明は、パチンコ機の電飾を施した風車に関する。
【０００２】
【従来の技術】
従来のパチンコ機における電飾風車として、遊技盤に取り付けられるケースに透光性を有する風車を回転自由に設け、ケース側に固定された複数のフィラメントランプから発せられる光を風車の背面に照射させて風車の照明を行う構成のものが使用されている。また、特開平８−１７３５９８号公報の可動電飾装置には、遊技盤に取り付けられる固定ベースに、透光性を有する内側シャフト部を中心に配置した導光シャフトを回転自由に設けると共に当該導光シャフトの前端に風車を取り付け、その導光シャフトと直線状にケース側に取り付けられた発光ランプから発せられる光を内側シャフト部に透過させて風車の中心部の発光部に照射させる構成が開示されている。
【０００３】
【発明が解決しようとする課題】
従来の前者の電飾風車においては、風車全体を一様に明るく照明するためにフィラメントランプを少なくとも２つ程度用いていることから、電力の消費量が多くなって経済的ではないといえる。後者の可動電飾装置では、内側シャフト部を透過した光が発光部に集束して照射されるので中心部は明るく照明されるが、風車全体を明るく照明する構造とはされていない。
【０００４】
この発明の目的は、羽根部材を一様に明るく照明することができ、消費電力が小さいパチンコ機の電飾を施した風車を提供することにある。
【０００５】
【課題を解決するための手段】
前記目的を達成するために請求項１に記載の発明は、遊技盤に取り付けられるケース本体に回転体を回転自由に設け、該回転体に取り付けた羽根部材の背面に、該ケース本体側に固定された発光ランプから発せられる光を照射して該羽根部材の照明を行うように構成したパチンコ機の電飾を施した風車であって、ほぼ杯形状とされた前記回転体は、その半球部の窪んだ内面を光を反射させる反射構造とすると共に、該半球部の中心部から後方に延びる軸筒部を前記ケース本体に遊嵌して回転自由に設けられ、前記発光ランプは該軸筒部内に挿通されて前記半球部の内方に臨むように設けられ、前記回転体の半球部の開口部に取り付けた透光性を有する羽根部材の背面中心部には光を反射させる反射部が先端に設けられた突起を一体に形成し、前記発光ランプから発せられる光を直接及び羽根部材の反射部を介して半球部の内面に拡散・反射させてから羽根部材の背面に照射するように設けたことを特徴とする。
【０００６】
同様の目的を達成するために請求項２に記載の発明は、請求項１に記載のパチンコ機の電飾を施した風車において、前記回転体の半球部を半径方向に複数箇所Ｕ字形に少し窪ませ、その窪み部分に支持片を夫々形成し、前記羽根部材の円盤部に該支持片に対応するボスを形成し、その羽根部材を前記半球部の開口部にあてがって該ボスを前記支持片に取付けたことを特徴とするものである。
【０００７】
【発明の作用及び効果】
発光ランプから発せられた光は、透光性を有する羽根部材の背面を直接照射し、及び羽根部材の反射部に当たってから半球部の内面に拡散・反射し、反射率が高められて羽根部材の背面を照射する。これにより、羽根部材全体は一様に明るく照明される。
【０００８】
このパチンコ機の電飾を施した風車によれば、発光ランプから発せられた光を羽根部材の背面に直接照射させ、及び羽根部材の反射部に当ててから半球部の内面に拡散・反射させることにより光の反射率が高められるため、羽根部材全体を一様に明るく照明することができる。加えて、発光ランプの消費電力が少なくて済むことから経済的である。
【０００９】
【発明の実施の形態】
以下に、本発明の実施の形態例を図面に基づいて説明する。図１は風車の斜視図、図２は同、縦断側面図、図３は同、分解斜視図、図４は発光ランプから発せられる光の反射経路を示す説明図である。
【００１０】
図１、図２において、１はパチンコ機の遊技盤の遊技領域に設けられる電飾を施した風車である。そのケース本体２は、有底円筒部３の底壁４の中心部に軸穴５を形成すると共にその底壁４の外面４ａの３カ所にボス６を設け、開口部７に遊技盤に取り付けるためのフランジ８が一体に形成されている。
【００１１】
１０はほぼ杯形状とされた回転体である。その回転体１０は、その半球部１１を半径方向に３カ所だけＵ字形に少し窪ませてあり、その窪み部分に支持片１２を夫々形成すると共に、それら支持片１２にビス孔１３を夫々設けている。半球部１１の中央の大きく窪んだ内面１１ａについては、金属箔、金属片若しくは反射鏡を貼付し又はメッキ加工を施し、光の反射率を高めた反射構造とする。また、その半球部１１の中心部には後方に延びる軸筒部１４を一体に形成し、その軸筒部１４に止め輪１６を嵌着するための嵌合溝１５を形成する。図２に示すように、この回転体１０は上記ケース本体２の軸穴５に軸筒部１４を遊嵌し、止め輪１６で抜け止めが施されて回転自由に設けられている。
【００１２】
２０は円盤部２１の中心部に小径の管部２２が立設された支持板である。その管部２２の先端には発光ランプとしての発光ダイオード２６を配置し、その発光ダイオード２６の管部２２に通された配線２７を円形の基板２５に電気的に接続を施す。それら支持板２０と基板２５とは重ねられた状態で前記ケース本体２のボス６にビス２８で取り付けられている。そして、発光ダイオード２６については、前記回転体１０の軸筒部１４内に挿通されて前記半球部１１の内方に臨むように設けられている。
【００１３】
３０は円盤部３１の前面に図示しないパチンコ球を受けるための羽根３２が等角度間隔に突出するように配設された透光性を有する羽根部材である。その円盤部３１の背面３１ａには、光を反射させる反射部３４が先端に設けられた突起３３を中心部に形成すると共に、ボス３５を前記回転体１０の各支持片１２に対応する位置に夫々一体に形成する。また、反射部３４については、金属箔、金属片若しくは反射鏡を貼付し又はメッキ加工を施すことにより、光の反射率を高めた反射構造とする。しかして、この羽根部材３０は前記回転体１０の半球部１１の開口部１１ｂにあてがわれて、ビス３６でボス３５を支持片１２に取り付けられている。
【００１４】
つぎに、上記構成になる電飾を施した風車１の作動について説明する。
図４に示すように、発光ダイオード２６から発せられた光は、羽根部材３０の背面３１ａを直接照射し、及び羽根部材３０の反射部３４に当たってから半球部１１の内面１１ａに拡散・反射し、反射率が高められて羽根部材３０の背面３１ａを照射する。これにより、羽根部材３０は一様に明るく照明される。
【００１５】
また、発光ダイオード２６から光が発せられているときに羽根部材３０が回転すると、その光の一部は羽根部材３０の反射部３４に当たって様々な方向に拡散・乱反射して羽根部材３０を一層効果的に照明する。
【００１６】
以上に述べた通り、このパチンコ機の電飾を施した風車は、発光ランプから発せられた光を羽根部材の背面に直接照射させ、及び羽根部材の反射部に当ててから半球部の内面に拡散・反射させることにより光の反射率が高められるため、羽根部材全体を一様に明るく照明することができ、遊技者に興趣を付与することが可能である。
【図面の簡単な説明】
【図１】  風車の斜視図
【図２】  同、縦断側面図
【図３】  同、分解斜視図
【図４】  発光ランプから発せられる光の反射経路を示す説明図
【符号の説明】
１→電飾を施した風車
２→ケース本体
４→底壁  ５→軸穴
１０→回転体  １１→半球部
１１ａ→内面  １１ｂ→開口部
１４→軸筒部
２０→支持板  ２５→基板
２６→発光ダイオード（発光ランプ）
３０→羽根部材  ３１→円盤部
３１ａ→背面  ３２→羽根
３３→突起  ３４→反射部
【図１】
0003773756.tif 000002
【図２】
0003773756.tif 000003
【図３】
0003773756.tif 000004
【図４】
0003773756.tif 000005